(57)【要約】【課題】部品点数を増大させることなく、少ない部品点数で、指針の天面部を照明できる外観品質の良好なメータ指針照明構造を提供する。【解決手段】基部１４ｃには、天面部１６を有するカバーキャップ部材１５が、嵌着されて設けられている。このカバーキャッブ部材１５には、指針回動軸１３と天面部１６との間に介在されて、視線を遮る不透過部としての遮光板部１７が一体となるように設けられている。天面部１６の周囲に照明光を天面部１６の上面まで導く導光部としての斜面部１８ｂ，１８ｂが一体に設けられると共に、各斜面部１８ｂには、複数の脚部１８ａ，１８ａが下方に向けて、遮光板部１７の周囲に位置するように突設されている。【選択図】  図１
2004325216.tif 000002
【特許請求の範囲】
【請求項１】
計器の指針本体の内部に、指針下方から指針回動軸に沿って照明光を導入すると共に、前記指針回動軸の上部に位置する天面部を該照明光で照明するメータ指針照明構造であって、
前記指針回動軸と前記天面部との間には、視線を遮る不透過部を設けると共に、該不透過部の周囲には、前記照明光を前記天面部の上面まで導く導光部が、該天面部と一体となるように設けられていることを特徴とするメータ指針照明構造。
【請求項２】
前記不透過部は、前記導光部の周囲に設けられたカバーキャップ部材と一体となるようにインサート成型されていることを特徴とする請求項１記載のメータ指針照明構造。
【請求項３】
前記不透過部は、前記天面部の下面側に設けられた塗装層であることを特徴とする請求項１記載のメータ指針照明構造。
【請求項４】
前記導光部の周囲には、カバーキャップ部材が設けられると共に、該カバーキャップ部材の上面側には、前記天面部を外部に臨ませる開口部が形成されて、該開口部の内周縁を、上面視で前記不透過部の外周縁と重複させていることを特徴とする請求項１乃至３記載のメータ指針照明構造。
【請求項５】
前記不透過部を前記導光部の周囲に設けられたカバーキャップ部材と一体にインサート成型する際、前記導光部を型内の固定用脚部として用いることを特徴とする請求項２記載のメータ指針照明構造の製造方法。
【発明の詳細な説明】
【０００１】
【発明の属する技術分野】
この発明は、車両用のメータ装置等に設けられるメータ指針照明構造に関し、特に、回動軸上部も照明によって点灯できるメータ指針照明構造に関する。
【０００２】
【従来の技術】
従来、図６に示すような自動車等の車両に搭載されるメータ装置のメータ指針照明構造が知られている（例えば、特許文献１参照）。
【０００３】
まず、構成から説明すると、この従来のメータ指針照明構造では、計器としての車両用メータ１の指針２が、指針回動軸３を、文字板４に形成された挿通開口部５に回動可能に挿通されて設けられている。
【０００４】
この指針２の指針本体６は、透光性材料によって構成されていて、この指針２の下方に位置する文字板４の下面側４ａに設けられた導光部材７を介して導かれた光源８からの照明光を、前記指針回動軸３の軸線方向に沿わせて、この指針本体６内に導入するように構成されている。
【０００５】
この指針本体６の内部には、前記指針回動軸３の上方に半透光性光拡散部材９が設けられていて、傾斜反射面９ａによって、指針本体６の先端６ｂ方向に向けて、この指針本体６内を上方に向けて導入された照明光を反射させると共に、この指針回動軸３の上方に向かう照明光を拡散させるように構成されている。
【０００６】
また、この指針本体６の上面部６ａの略全長に渡り、ホットスタンプ１０が設けられている。
【０００７】
次に、この従来のメータ指針照明構造の作用について説明する。
【０００８】
このように構成された図６に示す従来のメータ指針照明構造では、前記指針２の下方に位置する文字板４の下面側４ａに設けられた導光部材７を介して導かれた光源８からの照明光が、前記指針回動軸３の軸線方向に沿って、この指針本体６内に導入される。
【０００９】
この照明光の一部は、前記傾斜反射面９ａによって、指針本体６の先端６ｂ方向に向けて反射されて、この指針本体６を略全長に渡り照明する。
【００１０】
また、この照明光のうち、前記指針回動軸３の上方に向かう照明光は、前記半透光性光拡散部材９によって拡散される。
【００１１】
このため、前記指針回動軸３の上方に位置する指針本体６の上面部６ａの領域ａは、他の上面部の領域ｂ，ｃと同様に、略均一の光量で照明される。
【００１２】
また、前記指針本体６の上面部６ａには、ホットスタンプ１０が設けられているので、指針本体６の内部の半透光性光拡散部材９等の機能部品が、外部から視認されることがない。
【００１３】
このため、外観品質を良好なものとすることができる。
【００１４】
【特許文献１】
実公平６−７３１０号公報（図１）
【００１５】
【発明が解決しようとする課題】
しかしながら、前記図６に示すような従来のメータ指針照明構造では、前記指針回動軸３の上方に向かう照明光が、前記半透光性光拡散部材９によって拡散されるように構成されている。
【００１６】
このため、前記指針本体６と、前記半透光性光拡散部材９とを別体で構成した後、この指針本体６に、前記半透光性光拡散部材９を組み付けなければならず、部品点数が増大すると共に、組み付け作業性も良好であるとは言い難かった。
【００１７】
また、前記指針本体６の内部の半透光性光拡散部材９等の機能部品が、外部から視認されることがないように、指針本体６の上面部６ａにホットスタンプ１０が設けられているが、このホットスタンプ１０の形成工程が増大する分、製造コストが上昇してしまうといった問題もあった。
【００１８】
そこで、本発明の目的は、部品点数を増大させることなく、少ない部品点数で、指針の天面部を照明できる外観品質の良好なメータ指針照明構造を提供することにある。
【００１９】
【課題を解決するための手段】
本発明は、かかる問題点に着目してなされたもので、請求項１に係る発明では、計器の指針本体の内部に、指針下方から指針回動軸に沿って照明光を導入すると共に、前記指針回動軸の上部に位置する天面部を該照明光で照明するメータ指針照明構造であって、前記指針回動軸と前記天面部との間には、視線を遮る不透過部を設けると共に、該不透過部の周囲には、前記照明光を前記天面部の上面まで導く導光部が、該天面部と一体となるように設けられているメータ指針照明構造を特徴としている。
【００２０】
このように構成された請求項１記載のものでは、前記導光部が、前記不透過部の周囲から、前記指針下方から指針回動軸に沿って導入された照明光を、前記天面部の上面まで導く。
【００２１】
このため、前記天面部は、前記指針本体と略同様に照明光によって、略均一の光量で照明される。
【００２２】
また、視線を遮る不透過部が、前記指針回動軸と前記天面部との間に設けられているので、外部から内部機構が視認できない。
【００２３】
このため、外観品質が良好である。
【００２４】
更に、前記不透過部の周囲に設けられた導光部が、前記天面部と一体となるように設けられているので、部品点数を増大させる虞がない。
【００２５】
また、請求項２に記載されたものでは、前記不透過部は、前記導光部の周囲に設けられたカバーキャップ部材と一体となるようにインサート成型されている請求項１記載のメータ指針照明構造を特徴としている。
【００２６】
このように構成された請求項２記載のものでは、前記不透過部が、前記導光部の周囲に設けられたカバーキャップ部材と一体となるようにインサート成型されているので、部品点数を増大させることがない。
【００２７】
更に、請求項３に記載されたものでは、前記不透過部は、前記天面部の下面側に設けられた塗装層である請求項１記載のメータ指針照明構造を特徴としている。
【００２８】
このように構成された請求項３に記載されたものでは、例えば、前記カバーキャップ部材等の他の部材の塗装と共に、塗装を行うことによって、前記不透過部を形成することができる。
【００２９】
このため、更に、部品点数を増大させることがない。
【００３０】
そして、請求項４に記載されたものでは、前記導光部の周囲には、カバーキャップ部材が設けられると共に、該カバーキャップ部材の上面側には、前記天面部を外部に臨ませる開口部が形成されて、該開口部の内周縁を、上面視で前記不透過部の外周縁と重複させている請求項１乃至３記載のメータ指針照明構造を特徴としている。
【００３１】
このように構成された請求項４記載のものでは、前記開口部の内周縁が、上面視で前記不透過部の外周縁と重複されているので、該開口部の上方からの視線は、前記不透過部によって、遮られて内部の構造を視認することができない。
【００３２】
このため、更に外観品質が良好である。
【００３３】
また、請求項５に記載されたものでは、前記不透過部を前記導光部の周囲に設けられたカバーキャップ部材と一体にインサート成型する際、前記導光部を型内の固定用脚部として用いる請求項２記載のメータ指針照明構造の製造方法を特徴としている。
【００３４】
このように構成された請求項５記載のものでは、前記導光部が、型内の固定用脚部として用いられて、前記不透過部が、前記導光部の周囲に設けられたカバーキャップ部材と一体となるようにインサート成型されているので、型内で安定して、前記導光部の位置精度を良好なものとすることができる。
【００３５】
【発明の実施の形態１】
図１乃至図５は、この発明の実施の形態１のメータ指針照明構造を示すものである。
【００３６】
なお、前記従来例と同一乃至均等な部分については、同一符号を付して説明する。
【００３７】
まず、構成から説明すると、この実施の形態１のメータ指針照明構造では、計器としての車両用メータ１１の指針１２が、指針回動軸１３を、文字板４に形成された挿通開口部５に回動可能に挿通されて設けられている。
【００３８】
この指針１２の指針本体１４の内部には、指針回動軸１３の上端が一体に接続される円盤状の基部１４ｃが設けられている。
【００３９】
この基部１４ｃは、透光性材料によって構成されていることにより、この指針１２の下方に位置する文字板４の下面側４ａに設けられた導光部材７を介して導かれた光源８からの照明光が、前記指針回動軸１３の軸線方向に沿わせて、この指針本体１４内に導入されるように構成されている。
【００４０】
この指針本体１４の基部１４ｃ前端縁には、傾斜反射面１４ａが形成されていて、指針本体１４の先端１４ｂ方向に向けて、この指針本体６内を上方に向けて導入された照明光を反射させるように構成されている。
【００４１】
この基部１４ｃには、天面部１６を有するカバーキャップ部材１５が、嵌着されて設けられている。
【００４２】
このカバーキャップ部材１５には、前記指針回動軸１３と前記天面部１６との間に介在されて、前記視線を遮る不透過部としての遮光板部１７が一体となるように設けられている。
【００４３】
図１では、理解の容易化の為、このカバーキャップ部材１５と、遮光板部１７とが別体となるように記載されているが、製造工程で、導光部材１８をインサート成型する際に、これらのカバーキャップ部材１５と、遮光板部１７とは、同一材料が射出されることにより、この導光部材１８を内部に介在させて一体となるように構成されている。
【００４４】
この導光部材１８は、前記天面部１６と同一の光透光性材料によって構成されていて、前記天面部１６の周囲に前記照明光を前記天面部１６の上面まで導く導光部としての斜面部１８ｂ，１８ｂが一体に設けられると共に、各斜面部１８ｂには、複数の脚部１８ａ，１８ａが下方に向けて一体となるように突設されて形成されている。
【００４５】
これらの脚部１８ａ，１８ａは、図３に示すように、前記遮光板部１７の周囲に位置するように、前記斜面部１８ｂ，１８ｂに各々一対づつ、合計４脚、一定間隔を置いて設けられていて、前記基部１４ｃの上面１４ｄに、下端が当接される位置まで延設されている。
【００４６】
また、前記遮光板部１７は、前記導光部材１８の周囲に設けられたカバーキャップ部材１５の外周カバー部１５ａと一体となるようにインサート成型される際に、各脚部１８ａ，１８ａ間において接続されている。
【００４７】
図１では、これらの遮光板部１７と、外周カバー部１５ａとが分離されて、３部品であるかのように記載されているが、この実施の形態では、前記導光部材１８，遮光板部１７，及び外周カバー部１５ａとからなるカバーキャップ部材１５は、インサート成型によって、一体に形成されていて、前記指針本体１４の基部１４ｃに一部品として嵌合されて装着されるように構成されている。
【００４８】
更に、この実施の形態では、前記脚部１８ａ，１８ａが、前記導光部材１８の周囲に設けられたカバーキャップ部材１５が、前記導光部材１８を介在させて、この導光部材と一体にインサート成型される際、型内の固定用脚部として用いている。
【００４９】
また、このカバーキャップ部材１５の外周カバー部１５ａの上面側には、前記天面部１６を外部に臨ませる開口部１５ｂが形成されている。
【００５０】
そして、この開口部１５ｂの内周縁１５ｃは、図２に示すように、上面視で前記遮光板部１７の外周縁１７ａと所定の寸法ｗで重複されている。
【００５１】
次に、この実施の形態１の作用について説明する。
【００５２】
この実施の形態１では、前記遮光板部１７を前記導光部材１８の周囲に設けられたカバーキャップ部材１５と一体にインサート成型する際、前記脚部１８ａ，１８ａを型内の固定用脚部として用いている。
【００５３】
このため、型内で前記導光部材１８の位置精度が良好で、射出成形後の天面部１６の前記開口部１５ｂに対する位置精度を良好なものとすることが出来、更に、外観品質を向上させることができる。
【００５４】
また、この実施の形態では、前記天面部１６の下面側と、前記指針本体１４の基部１４ｃの上面側に介在される部分にも、前記遮光板部１７を形成する必要があるが、このような天面部１６の下面側にも溶融した樹脂材料を湯廻しするために、前記天面部１６を確実に型内で保持しなければならない。
【００５５】
従って、複数の前記脚部１８ａ，１８ａ…が、型内で固定用脚部として用いられて、天面部１６が型内側面から離間させた位置で保持出来るので、良好な状態でインサート成型を行うことができる。
【００５６】
このようにして、前記導光部材１８，遮光板部１７，及び外周カバー部１５ａとを一体に設けたカバーキャップ部材１５は、一部品として、前記指針本体１４の基部１４ｃに嵌合されて装着される。
【００５７】
このため、図６に示す従来のメータ指針照明構造のように、半透光性拡散部材９を別部品で、前記指針本体６に横方向から、略台形の開口部分に組み付けるものに比して、前記指針本体１４に上方から嵌合させるだけで、前記カバーキャップ部材１５の組付けが略完了する。
【００５８】
従って、組み付け作業性が良好で、例えば、自動組み付け作業装置等を用いて組み付け作業を行わせることも出来、更に、製造コストの上昇を抑制できる。
【００５９】
また、前記光源８の発光により、前記導光部材７を介して指針下方から、前記基部１４ｃ内部に導かれた照明光が、前記傾斜反射面１４ａによって、反射されて、前記先端１４ｂ方向に向けて、指針本体１４の上面を照明する。
【００６０】
そして、図３に示すように、前記光源８の発光により、前記導光部材７を介して指針下方から内部に導かれた照明光が、前記指針回動軸１３の軸線方向に沿わせて、前記導光部材１８の脚部１８ａ，１８ａ及び斜面部１８ｂ，１８ｂを介して、前記遮光板部１７の周囲から、前記天面部１６の上面まで導かれる。
【００６１】
このため、前記天面部１６は、前記指針本体１４の上面部と略同様に、同一の光源８の照明光によって、略均一の光量で照明される。
【００６２】
また、前記視線を遮る遮光板部１７が、前記指針回動軸１３と前記天面部１６との間に位置するように、前記カバーキャップ部材１５に一体に設けられているので、外部から内部機構が視認できない。
【００６３】
この実施の形態では、図６に示されるような前記半透光性光拡散部材９が不要であるので、上方から視認されることもないと共に、前記基部１４ｃの上面側に設けられる傾斜反射面１４ａ等の内部機構も、この遮光板部１７によって、視認されないため、外観品質が良好である。
【００６４】
更に、前記遮光板部１７の周囲に設けられた各斜面部１８ｂ，１８ｂ及び、複数の脚部１８ａ，１８ａが、前記天面部１６と一体となるように設けられているので、部品点数を増大させる虞がない。
【００６５】
また、前記遮光板部１７が、前記斜面部１８ｂ，１８ｂ及び、脚部１８ａ，１８ａの周囲に設けられたカバーキャップ部材１５と一体となるようにインサート成型されているので、部品点数を増大させることがない。
【００６６】
そして、この実施の形態では、図２に示すように、前記開口部１５ｂの内周縁１５ｃが、上面視で前記遮光板部１７の外周縁１７ａと重複されているので、この開口部１５ｂの上方からの視線方向が、鉛直方向からずれて一定の角度を有していても、前記遮光板部１７によって、遮られて内部の構造が視認されることがない。
【００６７】
このため、更に外観品質が良好である。
【００６８】
【変形例】
図４及び図５は、この発明の実施の形態の変形例のメータ指針照明構造を示すものである。
【００６９】
なお、前記実施の形態と同一乃至均等な部分については、同一符号を付して説明する。
【００７０】
この変形例のメータ指針照明構造では、前記天面部１６の下面側に、不透明の色彩を有する前記不透過部としての塗装層１１７が設けられている。
【００７１】
このように構成されたこの変形例のメータ指針照明構造では、例えば、前記カバーキャップ部材１１５等の他の部材の塗装と共に、前記塗装層１１７の塗装を行うことによって、不透過部を形成することができる。
【００７２】
このため、前記実施の形態のように、インサート成型時に、前記遮光板部１７を形成する必要も無くなり、成型が容易に行えると共に、別途、部品を設ける必要も無いので、部品点数を増大させることがない。
【００７３】
他の構成、及び作用効果については、前記実施の形態と略同様であるので説明を省略する。
【００７４】
以上、図面を参照して、本発明の実施の形態１及び変形例のメータ指針照明構造を詳述してきたが、具体的な構成は、この実施の形態１及び変形例に限らず、本発明の要旨を逸脱しない程度の設計的変更は、本発明に含まれる。
【００７５】
例えば、前記実施の形態１では、導光部としての前記脚部１８ａ，  １８ａが、前記斜面部１８ｂ，１８ｂに各々一対づつ、合計４脚、一定間隔を置いて設けられているが、特にこれに限らず、例えば、２脚或いは６脚等、前記遮光板部１７の周囲に設けられて、前記照明光を前記天面部１６の上面まで導くものであれば、形状、数量、及び材質が特に限定されるものではない。
【００７６】
【発明の効果】
上述してきたように、請求項１記載のものでは、前記導光部が、前記不透過部の周囲から、前記指針下方から指針回動軸に沿って導入された照明光を、前記天面部の上面まで導く。
【００７７】
このため、前記天面部は、前記指針本体と略同様に照明光によって、略均一の光量で照明される。
【００７８】
また、前記視線を遮る不透過部が、前記指針回動軸と前記天面部との間に設けられているので、外部から内部機構が視認できない。
【００７９】
このため、外観品質が良好である。
【００８０】
更に、前記不透過部の周囲に設けられた導光部が、前記天面部と一体となるように設けられているので、部品点数を増大させる虞がない。
【００８１】
また、請求項２に記載されたものでは、前記不透過部が、前記導光部の周囲に設けられたカバーキャップ部材と一体となるようにインサート成型されているので、部品点数を増大させることがない。
【００８２】
更に、請求項３に記載されたものでは、例えば、前記カバーキャップ部材等の他の部材の塗装と共に、塗装を行うことによって、前記不透過部を形成することができる。
【００８３】
このため、更に、部品点数を増大させることがない。
【００８４】
そして、請求項４に記載されたものでは、前記開口部の内周縁が、上面視で前記不透過部の外周縁と重複されているので、該開口部の上方からの視線は、前記不透過部によって、遮られて内部の構造を視認することができない。
【００８５】
このため、更に外観品質が良好である。
【００８６】
また、請求項５に記載されたものでは、前記導光部が、型内の固定用脚部として用いられて、前記不透過部が、前記導光部の周囲に設けられたカバーキャップ部材と一体となるようにインサート成型されているので、型内で安定して、前記導光部の位置精度を良好なものとすることができる、という実用上有益な効果を発揮する。
【図面の簡単な説明】
【図１】本発明の実施の形態１のメータ指針照明構造を示し、指針の構成を説明する分解斜視図である。
【図２】実施の形態１のメータ指針照明構造を示し、指針の上面図である。
【図３】実施の形態１のメータ指針照明構造で、図２中Ａ−Ａ線に沿った位置での要部の断面図である。
【図４】実施の形態１の変形例のメータ指針照明構造で、指針の構成を説明する分解斜視図である。
【図５】実施の形態１の変形例のメータ指針照明構造で、指針の図２中Ａ−Ａ線に沿った位置に相当する位置での断面図である。
【図６】従来のメータ指針照明構造で、指針延設方向に沿った要部の縦断面図である。
【符号の説明】
１１                車両用メータ
１２，１１２        指針
１５，１１５        カバーキャップ部材
１５ｃ              内周縁
不透過部
１７                遮光板部
１１７              塗装層
１７ａ，１１７ａ    外周縁
１８                導光部材
導光部
１８ａ，１８ａ      脚部
１８ｂ，１８ｂ      斜面部
【図１】
2004325216.tif 000003
【図２】
2004325216.tif 000004
【図３】
2004325216.tif 000005
【図４】
2004325216.tif 000006
【図５】
2004325216.tif 000007
【図６】
2004325216.tif 000008